(57)【要約】【課題】  プレビュースキャンと本スキャンを行なう読み取り方式において、良好な読み取り画像を取得することを可能とする。【解決手段】  書籍等の綴じ代部を有する原稿の原稿読み取りを行なう際にプレビュースキャンにて綴じ代部が存在すると判断された場合、本スキャン前にユーザに警告表示を行う。原稿綴じ代部が原稿読み取り面に密着する割合が増加することで良好な読み取り画像を取得する。【選択図】  図１
2009124416.tif 000002
【特許請求の範囲】
【請求項１】
綴じ代部を含む原稿画像を読み取る画像読み取り手段と、前記画像読み取り手段より読み取ったデータより綴じ代部を含む原稿の綴じ代部の形状を認識する綴じ代部形状認識手段を有することを特徴とする画像読取装置。
【請求項２】
請求項１に記載の画像読取装置において、
前記綴じ代部形状認識手段で認識した綴じ代部の形状により綴じ代部の形状認識手段の結果を通知する綴じ代部形状通知手段を有することを特徴とする画像読取装置。
【請求項３】
請求項2に記載の画像読取装置において、
前記綴じ代部形状認識手段で認識した形状により、前記綴じ代部形状通知手段を通じて警告表示を行なう警告表示手段を有することを特徴とする画像読取装置。
【請求項４】
請求項１に記載の画像読取装置において、
前記画像読み取り手段から読み取ったデータから原稿の形状を認識する原稿形状認識手段と、原稿形状認識手段で認識した原稿の形状に対して、前記綴じ代部形状認識手段で認識した綴じ代部の形状を原稿の綴じ代部画像として補正する綴じ部画像補正手段を有することを特徴とする画像読取装置。
【請求項５】
請求項4に記載の画像読取装置において、
前記原稿形状認識手段、前記綴じ代部形状認識手段、前期綴じ部画像補正手段に対して、前記画像読み取り手段から読み取った共通もしくは異なったデータを選択的に与えることを特徴とする画像読取装置。
【発明の詳細な説明】
【技術分野】
【０００１】
本発明はイメージスキャナなどの画像読取装置、原稿画像形成装置、画像取り込み装置、パーソナルコンピュータのアプリケーションソフトウェアによる画像補正機能などに使用される画像処理装置に関する。
【背景技術】
【０００２】
書籍等の綴じ代部を有する原稿において、本綴じ部の領域を画像として読み取る際に原稿綴じ代部に陰影部が発生する。従来は読み取った画像から陰影部の領域検出、画素の置換することで出力画像に陰影部が出力されないようにしている。または陰影部が存在することは原稿の歪みが発生していることになるために綴じ部の領域の伸張処理を行なうことで原稿の歪みを補正している。
【０００３】
二回読み取りを行なう際に特に厚手の本の場合、プレスキャン時と本スキャン時の本の押さえ方が容易に変わりうるため綴じ部の影の現れ方が異なり、輝度補正テーブルと本スキャン画像の綴じ部の影との間にミスマッチが生じ、補正が適切に行えない場合があるという課題があった。
【０００４】
上記の例として、下記特許文献１をあげることが出来る。
【特許文献１】特開平07-212539号公報
【発明の開示】
【発明が解決しようとする課題】
【０００５】
二回読み取りを行なう際に、補正が適切に行なうことが可能になるように輝度補正テーブルと本スキャン画像の綴じ部の影との間にミスマッチが生じないようにすることが本発明の目的である。
【課題を解決するための手段】
【０００６】
綴じ代部の陰影部の処理を一回の読み取り画像から行なわず、二回のスキャンを行なう。
【０００７】
読み取り画像の一回目では読み取り画像から綴じ代部の陰影部の領域判断のみを行なう。
【０００８】
一回目の読み取り画像から綴じ代部異常を判断した場合、ユーザに原稿の押さえに力を加えるように促す。
【０００９】
原稿綴じ代部が原稿読み取り面に密着する割合が増加することで良好な読み取り画像を取得することが可能になる。
【発明の効果】
【００１０】
以上のように本発明によれば、プレビュースキャンと本スキャンを行なう読み取り方式において、書籍等の綴じ代部を有する原稿の原稿読み取りを行なう際にプレビュースキャンにて綴じ代部が存在すると判断された場合、本スキャン前にユーザに警告表示を行う。原稿綴じ代部が原稿読み取り面に密着する割合が増加することで良好な読み取り画像を取得することが可能になる。
【発明を実施するための最良の形態】
【００１１】
次に、本発明の詳細を実施例の記述に従って説明する。
【００１２】
以下、図面を参照しながら本発明の実施の形態を特徴的な実施例について説明する。
【実施例１】
【００１３】
図１は本発明の一実施形態におけるデータ処理の流れの形態を示す図である。
【００１４】
プレビュースキャンにより得られたスキャン画像を解析し、綴じ代部の領域を検知した場合、警告ダイアログの表示を行い、その後本スキャンを行なう。一方綴じ代部の領域を検知しなかった場合、警告ダイアログを表示せずに本スキャンを行なう。
【００１５】
図２は本発明のシステム及びモジュール構成を示す図である。
【００１６】
綴じ代部を含む原稿画像を読み取る画像読み取り手段としてのスキャナ200と、画像読み取り手段より読み取ったデータより綴じ代部を含む原稿の綴じ代部の形状を認識する綴じ代部形状認識手段としての綴じ代部形状認識モジュール201と、綴じ代部形状認識手段の結果を通知する適正通知手段としての綴じ代部形状通知モジュール202と、画像読み取り手段から読み取ったデータから原稿の形状を認識する原稿形状認識手段としての原稿形状認識モジュール203と、綴じ代部形状認識手段で認識した綴じ代部の形状を原稿の綴じ代部画像として補正する綴じ部画像補正手段としての画像補正モジュール204を模式的に示している。
【００１７】
図３は本発明の一回目のスキャン時における画像データ及び各モジュールのフローを示す図である。画像読み取り手段としてのスキャナ200で読み取った画像データが綴じ代部形状認識モジュール201と原稿形状認識モジュール203へ送られる。綴じ代部形状認識モジュール201によって得られた結果を綴じ代部形状通知モジュール202が判定し、綴じ代部が存在すると判定した場合、外部周辺機器例えばCRTなどに警告ダイアログの表示を行なう。また綴じ代部形状認識モジュール201と原稿形状認識モジュールによってそれぞれの形状を判定し記憶しておく。
【００１８】
図４は本発明の二回目のスキャン時における画像データ及び各モジュールのフローを示す図である。スキャナ200から読み取ったデータは画像補正モジュール204へ送られる。また、綴じ代部形状認識モジュール201と原稿形状認識モジュールによって記憶されていたそれぞれの形状も画像補正モジュール204へ送られる。画像補正モジュール204は与えられた画像データ及び形状情報をもとに画像補正を行い、外部モジュールまたはアプリケーションへ画像補正処理後の画像データを送る。
【００１９】
図１から図４の説明にて示されるようにプレビュースキャンと本スキャンを行なう読み取り方式において、書籍等の綴じ代部を有する原稿の原稿読み取りを行なう際にプレビュースキャンにて綴じ代部の陰影領域を判断する。陰影部の領域判定結果から原稿中央領域の陰影部が全体の画像領域に対してある一定以上の領域を占めると判断された場合、本スキャン前にユーザに綴じ代部の押さえに力を加えるように表示部に警告表示を行なう。また原稿中央領域の陰影部が全体の画像領域に対して台形型や傾いていると判断された場合も表示部に警告表示を行なう。
【実施例２】
【００２０】
実施例１の図１から図４の説明にて示されるようにプレビュースキャンと本スキャンを行なう読み取り方式において、書籍等の綴じ代部を有する原稿の原稿読み取りを行なう際にプレビュースキャンにて綴じ代部の陰影領域を判断する。陰影部の領域判定結果から原稿中央領域の陰影部が全体の画像領域に対して補正不可能と判断された場合、本スキャンを行なわず、ユーザに綴じ代部の押さえ方を適切なものにしてプレビュースキャンをやり直すように表示部に警告表示を行なう。
【実施例３】
【００２１】
実施例１の図１から図４の説明にて示されるようにプレビュースキャンと本スキャンを行なう読み取り方式において、書籍等の綴じ代部を有する原稿の原稿読み取りを行なう際にプレビュースキャンにて綴じ代部の陰影領域を判断する。陰影部の領域判定結果から綴じ代部を含まない原稿であると判断された場合、本スキャン前に警告ダイアログの表示は行なわず、本スキャンを続けて行なう。
【図面の簡単な説明】
【００２２】
【図１】本発明の一実施形態における画像データの流れと画像処理の形態を示す図である。
【図２】本発明のシステム及びモジュール構成を示す図である。
【図３】本発明の一回目のスキャン時における画像データ及び各モジュールの動作フローを示す図である。
【図４】本発明の二回目のスキャン時における画像データ及び各モジュールの動作フローを示す図である。
【図１】
2009124416.tif 000003
【図２】
2009124416.tif 000004
【図３】
2009124416.tif 000005
【図４】
2009124416.tif 000006